(57)【要約】【課題】ある領域内にいるユーザ等の検索時に、あるユーザ等が検索報告されても良い領域範囲を、検索される側のユーザ等が変更（制限又は拡張）することが出来ない。【解決手段】情報管理装置は、対象情報記憶手段、ルール記憶手段、条件チェック手段と検索手段を備える。対象情報記憶手段は検索対象ごとに位置情報を格納する。ルール記憶手段は検索対象ごとに限定条件を格納する。条件チェック手段は、領域指定を含む検索要求を入力して、当該領域指定で指定される領域を限定条件で変更した限定領域を指定する限定域指定を出力する。検索手段は、位置情報が限定領域に包含される検索対象の識別情報を出力する。【選択図】      図１
2010204783.tif 000002
【特許請求の範囲】
【請求項１】
検索対象ごとに位置情報を格納する対象情報記憶手段と、
前記検索対象ごとに限定条件を格納するルール記憶手段と、
領域指定を含む検索要求を入力して、当該領域指定で指定される領域を前記限定条件で変更した限定領域を指定する限定域指定を出力する条件チェック手段と、
前記位置情報が前記限定域指定で指定される前記限定領域に包含される検索対象の識別情報を出力する検索手段、を備える情報管理装置。
【請求項２】
許可半径を前記限定条件として格納する前記ルール記憶手段と、
目標座標から要求半径内の領域を指定する前記領域指定を含む前記検索要求を入力して、前記要求半径が前記許可半径よりも大きいまたは小さいときに、前記目標座標から前記許可半径内の前記限定領域を指定する前記限定域指定を出力する前記条件チェック手段、を備える請求項１の情報管理装置。
【請求項３】
許可距離を前記限定条件として格納する前記ルール記憶手段と、
目標座標を中心とした、一辺の長さが要求距離の２倍の長方形または立方体の領域を指定する前記領域指定を含む前記検索要求を入力して、前記要求距離が前記許可距離よりも大きいまたは小さいときに、前記目標座標を中心とした、一辺の長さが前記許可距離の２倍の長方形または立方体の前記限定領域を指定する前記限定域指定を出力する前記条件チェック手段、を備える請求項１の情報管理装置。
【請求項４】
許可領域名を前記限定条件として格納する前記ルール記憶手段と、
要求領域名を前記領域指定として含む前記検索要求を入力して、前記許可領域名が規定する領域が、前記要求領域名が規定する領域の一部であるときに、前記許可領域名を前記限定域指定として出力する前記条件チェック手段、を備える請求項１乃至３の何れかの情報管理装置。
【請求項５】
検索端末装置と、
前記検索端末装置から前記検索要求を入力して前記検索端末装置へ前記検索対象の識別情報を出力する前記検索手段を備える請求項１乃至４の何れかの情報管理装置、を包含する情報管理システム。
【請求項６】
検索対象ごとに位置情報を格納する対象情報記憶手段と、前記検索対象ごとに限定条件を格納するルール記憶手段を備えたコンピュータに、
領域指定を含む検索要求を入力して、当該領域指定で指定される領域を前記限定条件で変更した限定領域を指定する限定域指定を出力する条件チェック処理と、
前記位置情報が前記限定域指定で指定される前記限定領域に包含される検索対象の識別情報を出力する検索処理、を実行させる情報管理プログラム。
【請求項７】
許可半径を前記限定条件として格納する前記ルール記憶手段を備える前記コンピュータに、
目標座標から要求半径内の領域を指定する前記領域指定を含む前記検索要求を入力して、前記要求半径が前記許可半径よりも大きいまたは小さいときに、前記目標座標から前記許可半径内の前記限定領域を指定する前記限定域指定を出力する前記条件チェック処理、を実行させる請求項６の情報管理プログラム。
【請求項８】
許可距離を前記限定条件として格納する前記ルール記憶手段を備える前記コンピュータに、
目標座標を中心とした、一辺の長さが要求距離の２倍の長方形または立方体の領域を指定する前記領域指定を含む前記検索要求を入力して、前記要求距離が前記許可距離よりも大きいまたは小さいときに、前記目標座標を中心とした、一辺の長さが前記許可距離の２倍の長方形または立方体の前記限定領域を指定する前記限定域指定を出力する前記条件チェック処理、を実行させる請求項６の情報管理プログラム。
【請求項９】
許可領域名を前記限定条件として格納する前記ルール記憶手段を備える前記コンピュータに、
要求領域名を前記領域指定として含む前記検索要求を入力して、前記許可領域名が規定する領域が、前記要求領域名が規定する領域の一部であるときに、前記許可領域名を前記限定域指定として出力する前記条件チェック処理を実行させる請求項６乃至８の何れかの情報管理プログラム。
【請求項１０】
検索対象ごとに位置情報を格納する対象情報記憶手段と、前記検索対象ごとに限定条件を格納するルール記憶手段を備えたコンピュータが、
領域指定を含む検索要求を入力して、当該領域指定で指定される領域を前記限定条件で変更した限定領域を指定する限定域指定を出力する条件チェック工程と、
前記位置情報が前記限定域指定で指定される前記限定領域に包含される検索対象の識別情報を出力する検索工程、を有する情報管理方法。
【請求項１１】
許可半径を前記限定条件として格納する前記ルール記憶手段を備える前記コンピュータが、
目標座標から要求半径内の領域を指定する前記領域指定を含む前記検索要求を入力して、前記要求半径が前記許可半径よりも大きいまたは小さいときに、前記目標座標から前記許可半径内の前記限定領域を指定する前記限定域指定を出力する前記条件チェック工程を有する請求項１０の情報管理方法。
【請求項１２】
許可距離を前記限定条件として格納する前記ルール記憶手段を備える前記コンピュータが、
目標座標を中心とした、一辺の長さが要求距離の２倍の長方形または立方体の領域を指定する前記領域指定を含む前記検索要求を入力して、前記要求距離が前記許可距離よりも大きいまたは小さいときに、前記目標座標を中心とした、一辺の長さが前記許可距離の２倍の長方形または立方体の前記限定領域を指定する前記限定域指定を出力する前記条件チェック工程を有する請求項１０の情報管理方法。
【請求項１３】
許可領域名を前記限定条件として格納する前記ルール記憶手段を備える前記コンピュータが、
要求領域名を前記領域指定として含む前記検索要求を入力して、前記許可領域名が規定する領域が、前記要求領域名が規定する領域の一部であるときに、前記許可領域名を前記限定域指定として出力する前記条件チェック工程を有する請求項１０乃至１２の何れかの情報管理方法。
【発明の詳細な説明】
【技術分野】
【０００１】
本発明は、情報管理装置、情報管理装システム、情報管理プログラム、および、情報管理方法に関する。
【背景技術】
【０００２】
特許文献１には、端末装置から他の移動体の発見条件を受信して移動体データ記憶部を検索し、該当する移動体のリストを端末装置に表示する管理センタが開示されている。当該管理センタは、被発見移動体へ接近するための案内情報を、当該被発見移動体のプライバシー設定レベルに応じて算出して端末装置に送信する。
【０００３】
特許文献２には、ある個人の個人情報の項目（住所など）ごとに公開、非公開を第３者サーバに登録する検索装置が開示されている。
【先行技術文献】
【特許文献】
【０００４】
【特許文献１】特開２０００−２５９９９５号公報
【特許文献２】特開２００２−２１５５８７号公報
【発明の概要】
【発明が解決しようとする課題】
【０００５】
近年、ＧＰＳ（Global Positioning System）による位置測位機能を備えた携帯電話端末の普及や、ＲＦＩＤタグの利用の広がりにより、ユーザの現在位置の利用が容易になってきている。これに伴い、多くのサービス事業者がユーザの現在位置に応じたサービスの提供を検討している。このようなサービスには、待ち合わせ支援や広告配信サービス等が含まれる。
【０００６】
サービス事業者は、携帯電話などを用いて収集したユーザの現在位置を情報管理システムで一元管理し、ある地域にいるサービス対象ユーザを検索する。この検索に関して、以下に述べる問題がある。
【０００７】
例えば、事業者のサービスが待ち合わせ支援サービスであるとする。待ち合わせ支援サービスは、友達同士が近くにいることを互いに知らせあう為のサービスである。このサービスに於いて、友達同士の距離が、サービス事業者が決めた画一的な条件（例えば500m以内）を満たす場合に、情報管理システムが当該友達同士は近くにいると判定することが適切であるように見える。
【０００８】
しかし、検索される側の立場からは、自分が近くにいることを相手に知られてもよいと思う距離は、人によって、また、場合によって変わりうる。検索する側である事業者が一方的に決めた条件によって、ユーザの検索および近くにいる人への通知がおこなわれると、検索される側のユーザにとって知られたくない情報（近くにいること、または、それ程近くにいないこと）が、検索する側のユーザに知られることになる。このような検索及び通知は、検索される側のプライバシー侵害につながる危険がある。
【０００９】
また、例えば、事業者のサービスが広告配信サービスであるとする。広告配信サービスは、ユーザの近くにある店舗の広告を配信するサービスである。このサービスでは、まず、広告主や広告代理店が、マーケティング調査にもとづいて広告対象となるユーザの検索条件を決めることが適切であるように見える。この検索条件は、例えば、「店舗から半径500m以内にいるユーザ」等の領域指定を含むことがある。このサービスに於いて、情報管理システムは、この領域指定で検索したユーザに、当該店舗の広告情報を送信する。
【００１０】
この領域指定は、画一的であり広告の配信を受けるユーザの特性は考慮されていない。広告配信を受けた際に、店舗が近いと感じるかどうかは、個人の行動能力や感覚の違いなどによって変わりうる。500m以内にある店舗の広告情報が、ある人にとっては購買促進に有効かもしれないが、別の人にとっては無意味かもしれない。さらに別な人は、600m以内の店舗の広告情報が欲しいかもしれない。無意味な情報ばかりがユーザに送りつけられるようになると、ユーザ情報を管理する事業者やユーザ情報を利用する事業者の信頼性低下につながる。欲しい情報がユーザに送られないと、ユーザの不満が募る。
【００１１】
上記の情報管理システムは、いずれも、ある領域内にいるユーザ等の検索時に、あるユーザ等が検索報告されても良い領域範囲を、検索される側のユーザ等が変更（制限又は拡張）することが出来ないという課題を有する。
【００１２】
特許文献１および２に記載された装置は、何れも、特定情報の開示の有無を固定的に制限する。即ち、当該特定情報の開示の有無は、制限情報が変わらない限り常に同じであり、移動体などのいる位置に依存しない。従って、特許文献１および２に記載された装置は、何れも、上記情報管理システムの課題を解決しない。
【００１３】
本発明の目的は、上記課題を解決するための、情報管理装置、情報管理装システム、情報管理プログラム、および、情報管理方法を提供することにある。
【課題を解決するための手段】
【００１４】
本発明の一実施形態の情報管理装置は、検索対象ごとに位置情報を格納する対象情報記憶手段と、前記検索対象ごとに限定条件を格納するルール記憶手段と、領域指定を含む検索要求を入力して、当該領域指定で指定される領域を前記限定条件で変更した限定領域を指定する限定域指定を出力する条件チェック手段と、前記位置情報が前記限定域指定で指定される前記限定領域に包含される検索対象の識別情報を出力する検索手段を備える。
【００１５】
本発明の一実施形態の情報管理プログラムは、検索対象ごとに位置情報を格納する対象情報記憶手段と、前記検索対象ごとに限定条件を格納するルール記憶手段を備えたコンピュータに、領域指定を含む検索要求を入力して、当該領域指定で指定される領域を前記限定条件で変更した限定領域を指定する限定域指定を出力する条件チェック処理と、前記位置情報が前記限定域指定で指定される前記限定領域に包含される検索対象の識別情報を出力する検索処理を実行させる。
【００１６】
本発明の一実施形態の情報管理方法は、検索対象ごとに位置情報を格納する対象情報記憶手段と、前記検索対象ごとに限定条件を格納するルール記憶手段を備えたコンピュータが、領域指定を含む検索要求を入力して、当該領域指定で指定される領域を前記限定条件で変更した限定領域を指定する限定域指定を出力する条件チェック工程と、前記位置情報が前記限定域指定で指定される前記限定領域に包含される検索対象の識別情報を出力する検索工程を有する。
【発明の効果】
【００１７】
情報管理装置は、ある領域内にいるユーザ等の検索を行う。本発明にかかる情報管理装置は、この検索時に、あるユーザ等が検索報告されても良い領域範囲を、検索される側のユーザ等が変更することを可能とする。
【図面の簡単な説明】
【００１８】
【図１】図１は、本発明に係る情報管理システム１０の全体構成図である。
【図２】図２は、対象情報記憶手段４０に格納されるデータを示す。
【図３】図３は、検索要求５０のデータ構成を示す。
【図４】図４は、ルール記憶手段３０に格納されるデータの構成図である。
【図５】図５は、検索手段２３の動作フローチャートである。
【図６】図６は、条件チェック手段２２の動作フローチャートである。
【図７】図７は、本発明の第２の実施形態に係る検索要求５０のデータ構成を示す。
【図８】図８は、本発明の第２の実施形態に係るルール記憶手段３０に格納されるデータの構成を示す。
【図９】図９は、本発明の第２の実施形態に係る条件チェック手段２２の動作フローチャートである。
【図１０】図１０は、本発明に係る情報管理装置１０の基本的構成を示す。
【発明を実施するための形態】
【００１９】
図１は、本発明に係る情報管理システム１０の全体構成図である。情報管理システム１０は、情報管理装置２０、並びに、情報管理装置２０に接続された検索端末１１、管理端末１２および位置測定サーバ１３から構成される。情報管理装置２０は、例えば、条件チェック手段２２、検索手段２３、制御手段２４、ルール記憶手段３０および対象情報記憶手段４０を包含する。
【００２０】
検索手段２３は、検索端末１１から検索要求５０を入力して、検索要求５０で与えられた条件に合致する検索対象を対象情報記憶手段４０から抽出して、抽出された検索対象の識別情報３１、付帯情報３５を検索端末１１に出力する。
【００２１】
検索対象は、位置測定が可能な人、動物、物である。検索対象は、例えば、ＧＰＳによる位置測位機能を備えた携帯電話端末の使用者である。検索対象は、ＩＣタグ等の位置測定用信号発信機を装着した人、動物、物であっても良い。この場合、検索対象の位置は例えば、複数のＲＦＩＤリーダ（Radio Frequency IDentification）で測定される。
【００２２】
条件チェック手段２２は、ルール記憶手段３０の内容に基づいて、検索要求５０で与えられた検索条件のうち領域指定５１を変更する。制御手段２４は、位置測定サーバ１３から検索対象の位置３３を得て対象情報記憶手段４０に登録する。制御手段２４は、管理端末１２から保守管理コマンド等を入力して対象情報記憶手段４０の内容の参照更新を行う。位置測定サーバ１３は、通信事業者等のサーバである。
【００２３】
検索手段２３、条件チェック手段２２および制御手段２４は、ハードウェアで実現される。検索手段２３、条件チェック手段２２および制御手段２４は、コンピュータ２１でもある情報測定装置２０のプロセッサがメモリ上の情報管理プログラム２９を実行することで実現されても良い。ルール記憶手段３０および対象情報記憶手段４０は、例えば、メモリ、ディスク装置である。
【００２４】
図２は、対象情報記憶手段４０に格納されるデータを示す。対象情報記憶手段４０は、単数又は複数の対象レコード３４を格納する。対象レコード３４は検索対象ごとに存在する。対象レコード３４は、識別情報３１、属性情報３２、位置３３、付帯情報３５を包含する。
【００２５】
識別情報３１は検索対象の識別子である。対象レコード３４の順番を検索対象の識別子とする場合、識別情報３１は不要である。属性値３２は検索対象の属性の値を示す。属性は、１つ又は複数の項目、例えば、性別、年齢、職業の各項目から構成される。属性値３２は属性の全項目の値を包含しなくても良い。属性値３２は無くても良い。
【００２６】
位置３３は検索対象の存在場所を示す。位置３３は、例えば緯度と経度の対である。位置３３は、緯度、経度、高度の組であっても良い。また、位置３３は、所定の原点から所定のスケールで測定された２次元または３次元の座標でも良い。位置３３が、２次元データであるのか３次元データであるのかは、例えば、情報管理装置２０の実装に依存する。
【００２７】
付帯情報３５は、検索対象に関する付加的な情報を格納する。付帯情報３５は、例えば検索者にとって有用な情報であり、例えば氏名、メールアドレス、電話番号である。付帯情報３５は無くても良い。
【００２８】
図３は、検索要求５０のデータ構成を示す。検索要求５０は領域指定５１と属性指定５２を包含する。領域指定５１は、検索が行われる領域の範囲を示す。本実施の形態において、領域指定５１は目標座標５３と要求半径５４を含む。領域指定５１は、検索が行われる領域が目標座標５３を中心とした、半径が要求半径５４である円形または球形の領域であることを示す。
【００２９】
属性指定５２は、検索対象の属性値３２の値の範囲（性別＝男、年齢＝２５以上５０以下、等）を指定する。属性指定５２は、属性の全項目の指定を包含しなくても良い。検索要求５０は属性指定５２を包含しなくても良い。対象情報記憶手段４０が属性値３２を包含しないとき、検索要求５０は属性指定５２を包含しない。
【００３０】
検索要求５０は、位置３３が領域指定５１で指定される領域内に存在する検索対象のうち、属性値３２が属性指定５２の条件に合致するものの対象レコード３４を抽出し、抽出された対象レコード３４の識別情報３１と付帯情報３５を出力することを要求する。属性指定５２が指定されていないとき、情報管理装置２０は、属性値３２が如何なる値であっても対象レコード３４を抽出する。
【００３１】
なお、情報管理装置２０は、検索要求をうけて識別情報３１を出力するだけとしてもよい。検索者は、例えば、情報管理装置２０から取得した識別情報３１を基に他の検索装置から付帯情報３５等を取得する。
【００３２】
図４は、ルール記憶手段３０に格納されるデータの構成図である。ルール記憶手段３０は、検索対象ごとに、当該検索対象の識別情報３１と限定条件４１を対応させて格納する。本実施形態に於いて、限定条件４１は許可半径４２である。許可半径４２は、識別情報３１の検索対象が目標座標５１から当該許可半径４２以内の地点にいるときだけ、情報管理装置２０が当該検索対象を抽出して良いことを示す。
【００３３】
例えば、情報管理装置２０の管理者が、検索対象（動物／物の所有者、ユーザ、等）から申請を受けて管理端末１２から限定条件４１を登録する。検索対象が、例えば検索対象が所持する携帯端末等の管理端末１２を操作して、限定条件４１を登録しても良い。
【００３４】
なお、対象情報記憶手段４０とルール記憶手段３０は一体に構成しても良い。例えば、図２の対象レコード３４が限定条件４１を包含するように構成し、対象情報記憶手段４０がルール記憶手段３０を兼ねることとしても良い。
【００３５】
図５は、検索手段２３の動作フローチャートである。検索手段２３は検索端末１１から検索要求５０を入力して（Ｓ１）、作業域である検索リストを初期化（Ｎｕｌｌ値設定等）する（Ｓ２）。
【００３６】
続いて、検索手段２３は、対象情報記憶手段４０内の全対象レコード３４に対して、以下のＳ３乃至Ｓ６の処理を行う。検索手段２３は、順次、対象レコード３４を取り出して（Ｓ３）、当該対象レコード３４に基づいて領域指定５１の変更を行う（Ｓ４）。具体的には、検索手段２３は、当該限定を条件チェック手段２２に依頼して、結果として限定域指定を受信する。本実施形態に於いて、限定域指定は図示しないメモリの限定指定格納域に格納された限定中心点と限定半径からなるデータである。
【００３７】
検索手段２３は、当該対象レコード３４が検索要求５０に合致するか否か検査する（Ｓ５）。検索要求５０に合致するとは、以下の２条件を満たすことをいう。
【００３８】
１）当該対象レコード３４の位置３３が限定域指定で指定される領域内に属すこと。
例えば、位置３３は、ある地点を原点に、座標軸の単位をメートルとした２次元座標であるとする。限定中心点が（４７８、３２６）であって、限定半径が１００メートルである場合、図２のＵｓｅｒ２は限定域指定内の領域に属すが、Ｕｓｅｒ１、３は属さない。
【００３９】
２）当該対象レコード３４の属性値３２が、属性指定５２の条件に合致すること。
例えば、図２のＵｓｅｒ２の属性値３２は、図３の属性指定５２の条件に合致する。
【００４０】
従って、検索手段２３は、Ｕｓｅｒ１は検索要求５０に合致するが、Ｕｓｅｒ２は合致しないと判断する。
【００４１】
当該対象レコード３４が検索要求５０に合致した場合（Ｓ５でＹ）、検索手段２３は、検索リストに当該対象レコード３４を追加する（Ｓ６）。
【００４２】
対象情報記憶手段４０内の全対象レコード３４の処理後、検索手段２３は、検索リスト内に格納されている対象レコード３４の識別情報３１と付帯情報３５を、検索端末１１に出力する（Ｓ７）。
【００４３】
検索者は、検索端末１１に表示された検索結果に基づいて、待ち合わせ相手の位置を確認できる。また、検索者は、当該検索結果に基づいてメール等による広告の配信等を行うことが出来る。
【００４４】
図６は、条件チェック手段２２の動作フローチャートである。条件チェック手段２２は、検索手段２３から入力した対象レコード３４から識別情報３１を取得し、当該識別情報３１に対応する許可半径４２をルール記憶手段３０から取得する（Ｓ１１）。
【００４５】
当該許可半径４２が検索要求５０の要求半径５４より小さい場合（Ｓ１２でＹ）、限定中心点は目標座標５３であり、限定半径は許可半径４２である。条件チェック手段２２は、目標座標５３と許可半径４２を限定域指定格納域に格納する（Ｓ１３）。
【００４６】
当該許可半径４２が検索要求５０の要求半径５４より小さくない場合（Ｓ１２でＮ）、限定中心点は目標座標５３であり、限定半径は要求半径５４である。条件チェック手段２２は、目標座標５３と要求半径５４を限定域指定格納域に格納する（Ｓ１４）。
【００４７】
本実施形態の情報管理システム１０の第１の効果は、検索される側のプライバシー侵害（近くにいることを知られてしまう等）につながる危険性が低減することである。
【００４８】
本実施形態の情報管理システム１０の第２の効果は、検索対象のユーザ等の情報を管理する事業者または利用する事業者の信頼性を確保できることである。即ち、情報管理システム１０は、ユーザ等が自分の距離感で近いと感じる店の広告を受けることを可能とする。
【００４９】
上述の効果は、いずれも、ある領域内にいるユーザ等の検索時に、あるユーザ等が検索報告されても良い範囲を、検索される側のユーザ等が変更することによって得られる。
【００５０】
本実施形態の情報管理システム１０の第３の効果は、上述の変更を定量的に調整できることである。即ち、ユーザ等は、客観的な基準に基づいて制限を課しかつ使用感に基づく変更調整が可能である。その理由は、情報管理装置２０が要求半径５４を許可半径４２で変更するからである。
【００５１】
なお、本実施形態に於いて、条件チェック手段２２は、『許可半径４２が検索要求５０の要求半径５４より大きい』場合に、限定半径を許可半径４２にしても良い（図６）。この場合、検索される側のプライバシー侵害（近くにいないことを知られてしまう等）につながる危険性が低減する。また、欲しい情報が送られないという、ユーザの不満を解消する。
【００５２】
さらに本実施形態に於いて、検索要求５０（図３）の領域指定５１が、要求半径５４の代わりに要求距離（図示されない）を含み、ルール記憶手段３０（図４）の限定条件４１が、許可半径４２の代わりに許可距離（図示されない）であっても良い。この場合、領域指定５１は、検索が行われる領域が目標座標５３を中心とした、一辺の長さが要求距離の２倍の長方形または立方体の領域であることを示す。
【００５３】
図７は、本発明の第２の実施形態に係る検索要求５０のデータ構成を示す。本実施形態の検索要求５０は、領域指定５１として要求領域名５５を包含する。要求領域名５５は、ネスト関係にある領域（都道府県、市、区、地区名、番地等）の各レベルの領域の名称を上位レベルから順次連結したもの（住所等）である。
【００５４】
図８は、本発明の第２の実施形態に係るルール記憶手段３０に格納されるデータの構成を示す。本実施形態のルールー記憶手段３０は、限定条件４１として１つ又は複数の許可領域名４３を包含する。許可領域名４３は、ネスト関係にある領域の各レベルの名称を上位レベルから順次連結したものである。
【００５５】
図９は、本発明の第２の実施形態に係る条件チェック手段２２の動作フローチャートである。本実施形態の条件チェック手段２２は、検索手段２３から入力した対象レコード３４から識別情報３１を取得し、当該識別情報３１に対応する許可領域名４３をルール記憶手段３０から取得する（Ｓ２１）。
【００５６】
当該許可領域名４３の何れかが示す領域が検索要求５０の要求領域名５５が示す領域の一部である場合（Ｓ２２でＹ）、条件チェック手段２２は、当該許可領域名４３を限定域指定格納域に格納する（Ｓ２３）。
【００５７】
当該許可領域名４３が示す領域の何れも検索要求５０の要求領域名５５が示す領域の一部でない場合（Ｓ２２でＮ）、条件チェック手段２２は、要求領域名５５を限定域指定格納域に格納する（Ｓ２４）。
【００５８】
上述の通り、本実施形態に於いて、限定域指定は図示しないメモリの限定指定格納域に格納された、ネスト関係にある領域の各レベルの名称を上位レベルから順次連結したデータである。
【００５９】
条件チェック手段２２は、以下の２条件を満足するとき、ある許可領域名４３が示す領域が、要求領域名５５が示す領域の一部であると判断する。
１）許可領域名４３と要求領域名５５を上位レベルの領域の名称（都道府県名等）から順次比較した場合、一致する名称（東京都等）が存在する。
２）許可領域名４３の方が要求領域名５５より下位レベルの領域名称（地区名等）を包含する。
【００６０】
また、本実施例における検索手段２３が、当該対象レコード３４が検索要求５０に合致するか否か検査する（図５のＳ５）際には、以下の２条件を満たすかを検査する。
【００６１】
１）当該対象レコード３４の位置３３が限定域指定内の領域に属すこと。
例えば、位置３３は緯度経度からなる２次元座標であるとする。情報管理装置２０は、地表を所定サイズに切った網目ごとに、緯度経度の範囲と最下位レベルの領域名称（番地等）を含む領域の名称（住所等）を対応させて記憶する住所データベースを備えているものとする。
【００６２】
検索手段２３は、順次取り出した（図５のＳ３）対象レコード３４の位置３３が属する網目を特定して住所データベースから住所等を取得する。検索手段２３は、当該住所等が示す領域が、限定域指定が示す領域の一部であれば、当該対象レコード３４の位置３３が限定域指定内の領域に属すと判断する。検索手段２３は、当該住所等が示す領域が、限定域指定が示す領域の一部であるか否かの判断を、図９のＳ２２の判断に類似した手順で行う。
【００６３】
２）当該対象レコード３４の属性値３２が、属性指定５２の条件に合致すること。
本条件の判断は、第１の実施形態と同じである。
【００６４】
なお、他の点に於いて、本実施形態の情報管理システム１０は第１の実施形態と同じである。
【００６５】
本実施形態の情報管理システム１０の効果は、位置情報の開示度合いの変更を、領域把握がし易い住所等で行うことが可能になることである。その理由は、情報管理装置２０が要求領域名５５を許可領域名４３で限定するからである。
【００６６】
図１０は、本発明に係る情報管理装置１０の基本的構成を示す。情報管理装置１０は、対象情報記憶手段４０、ルール記憶手段３０、条件チェック手段２２と検索手段２３を備える。対象情報記憶手段４０は検索対象ごとに位置３３を格納する。ルール記憶手段３０は検索対象ごとに限定条件４１を格納する。条件チェック手段２２は、領域指定５１を含む検索要求５０を入力して、当該領域指定５１で指定される領域を限定条件４１で変更した限定領域を指定する限定域指定を出力する。検索手段２３は、位置３３が限定領域に包含される検索対象の識別情報３１を出力する。
【符号の説明】
【００６７】
１０    情報管理システム
１１    検索端末
１２    管理端末
１３    位置測定サーバ
２０    情報管理装置
２１    コンピュータ
２２    条件チェック手段
２３    検索手段
２４    制御手段
２９    情報管理プログラム
３０    ルール記憶手段
３１    識別情報
３２    属性値
３３    位置
３４    対象レコード
３５    付帯情報
４０    対象情報記憶手段
４１    限定条件
４２    許可半径
４３    許可領域名
５０    検索要求
５１    領域指定
５２    属性指定
５３    目標座標
５４    要求半径
５５    要求領域名
【図１】
2010204783.tif 000003
【図２】
2010204783.tif 000004
【図３】
2010204783.tif 000005
【図４】
2010204783.tif 000006
【図５】
2010204783.tif 000007
【図６】
2010204783.tif 000008
【図７】
2010204783.tif 000009
【図８】
2010204783.tif 000010
【図９】
2010204783.tif 000011
【図１０】
2010204783.tif 000012